(57)【要約】【課題】本体部から取り外して哺乳瓶等の水切り、乾燥が可能であり、水蒸気による殺菌消毒と薬液に浸す殺菌消毒との双方に対応可能な殺菌消毒器具を提供する。【解決手段】殺菌消毒器具は直方体の１面のみを開口した開口部１ａを有する主容器部１と、この主容器部１に収容可能な副容器部２と、開口部１ａを閉塞してロック状態にする蓋部３とから構成されている。副容器部２は、片側に設けられ、水を貯水可能な保水部２ａと、この保水部２ａと向かい合うように保水部２ａと連結され、多数の透孔を有する格子状部材から成る水切部２ｂと、保水部２ａ、水切部２ｂの一方側に設けられた取出口２ｃと、この取出口２ｃの一部に回動自在に取り付けられた取手部２ｄとから構成されている。【選択図】図１
2020156594.tif 000002
【特許請求の範囲】
【請求項１】
直方体の１面のみを開口した主容器部と、該主容器部に収納可能な副容器部と、前記主容器部の開口部を閉塞する蓋部とから成る殺菌消毒器具であって、
前記副容器部は、片側に設けられた水を貯水可能な保水部と、該保水部と向かい合うように前記保水部と連結され、多数の透孔を有する水切部とから構成されていることを特徴とする殺菌消毒器具。
【請求項２】
前記保水部は、矩形の主板部と、該主板部の各辺から垂直に延在する側板部とから成り、
前記水切部は、矩形の主面部と、該主面部の３辺から垂直に延在し、３面の前記側板部とそれぞれ連結する側面部とから成ることを特徴とする請求項１に記載の殺菌消毒器具。
【請求項３】
前記側面部と連結しない前記側板部の近傍に、消毒対象物の出し入れを行う取出口を設けたことを特徴とする請求項２に記載の殺菌消毒器具。
【請求項４】
前記取出口の内側に取手部が回動自在に取り付けられていることを特徴とする請求項３に記載の殺菌消毒器具。
【請求項５】
前記主容器部は透明又は半透明の耐熱性樹脂から成ることを特徴とする請求項１〜４の何れか１項に記載の殺菌消毒器具。
【発明の詳細な説明】
【技術分野】
【０００１】
本発明は、哺乳瓶等の殺菌消毒を行うための殺菌消毒器具に関するものである。
【背景技術】
【０００２】
乳児が使用する哺乳瓶は、使用毎に殺菌消毒を行う必要があり、湯を張った鍋に哺乳瓶等を入れて煮沸消毒を行ったりしている。
【０００３】
特許文献１には、哺乳瓶を容器本体に収容して、水を加えて電子レンジにより加熱することで発生する水蒸気を用いて、哺乳瓶の殺菌消毒を行う消毒容器が開示されている。
【先行技術文献】
【特許文献】
【０００４】
【特許文献１】特開２００３−６８５号公報
【発明の概要】
【発明が解決しようとする課題】
【０００５】
しかし、特許文献１の消毒容器は、乾燥時に湿気が消毒容器内から排出し難く、哺乳瓶が完全に乾燥するまでに時間を要するという問題がある。また、哺乳瓶が乾燥し、哺乳瓶を消毒容器から取り外さない限り、消毒容器自体を洗浄することができないという問題もある。更に、特許文献１による消毒容器では、水抜き孔等の存在により哺乳瓶全体を消毒用の薬液で浸すことによる殺菌消毒を行うことが難しい。
【０００６】
本発明の目的は、上述の問題点を解消し、本体部から取り外して哺乳瓶等の水切り、乾燥が可能であり、水蒸気による殺菌消毒と消毒用の薬液に浸す殺菌消毒との双方に対応可能な殺菌消毒器具を提供することにある。
【課題を解決するための手段】
【０００７】
上記目的を達成するための本発明に係る殺菌消毒器具は、直方体の１面のみを開口した主容器部と、該主容器部に収納可能な副容器部と、前記主容器部の開口部を閉塞する蓋部とから成る殺菌消毒器具であって、前記副容器部は、片側に設けられた水を貯水可能な保水部と、該保水部と向かい合うように前記保水部と連結され、多数の透孔を有する水切部とから構成されていることを特徴とする。
【発明の効果】
【０００８】
本発明に係る殺菌消毒器具によれば、殺菌消毒する際に、電子レンジによる水蒸気を利用する横置きの殺菌消毒と、消毒用の薬液に浸す縦置きの殺菌消毒との双方に対応可能である。
【０００９】
また、通気性の良い副容器部のみで哺乳瓶等を水切り、乾燥させることが可能であり、哺乳瓶の口部が下になるように副容器部を配置することで、哺乳瓶内に水滴が残ることなく乾燥させることができる。更に、副容器部を乾燥させている間に、主容器部及び蓋部を洗浄することが可能である。
【図面の簡単な説明】
【００１０】
【図１】実施例の殺菌消毒器具の分解斜視図である。
【図２】主容器部に蓋部をロックした状態の斜視図である。
【図３】副容器部を横置き状態にした斜視図である。
【図４】哺乳瓶を入れて取出口を横に向けた縦置き状態の副容器部の斜視図である。
【図５】哺乳瓶を収容し、取出口を横に向けた縦置き状態の副容器部の側面断面図である。
【図６】取出口を上にした状態の副容器部の側面断面図である。
【発明を実施するための形態】
【００１１】
本発明を図示の実施例に基づいて詳細に説明する。
図１は実施例の殺菌消毒器具の分解斜視図であり、図２は主容器部に蓋部を被着した状態の殺菌消毒器具の斜視図である。殺菌消毒器具は耐熱性の合成樹脂製であり、その大きさは、例えば縦１５ｃｍ、横２５ｃｍ、高さ２０ｃｍ程度である。この大きさは、殺菌消毒器具に収容可能な哺乳瓶の本数等に応じて適宜の大きさのものを採用することができる。
【００１２】
殺菌消毒器具は、直方体の１面のみを開口した開口部１ａを有する主容器部１と、この主容器部１内に収容可能な副容器部２と、開口部１ａを閉塞してロック状態にする蓋部３とから構成されている。
【００１３】
主容器部１は透明又は半透明の耐熱性樹脂が好ましく、矩形状の底面部１ｂと、この底面部１ｂの各辺から垂直に延在する４つの周面部１ｃ〜１ｆとから構成され、水漏れがない箱状体とされている。なお、周面部１ｃ〜１ｆ同士のそれぞれの接合部は、図示のように安全性を考慮して丸みを帯びるように形成されている。
【００１４】
そして、対向する周面部１ｃ、１ｅの略中央には、半円弧状の取手板部１ｇがそれぞれ設けられている。また、周面部１ｃ、１ｅの開口部１ａ側の略中央部には、後述する蓋部３に設けた係止片と係合する被係止部１ｈがそれぞれ設けられている。
【００１５】
副容器部２は主容器部１内に隙間なく収納可能であって、大きさも主容器部１より若干小さい程度のものである。副容器部２は、片側に設けられた水を貯水可能な保水部２ａと、この保水部２ａと向かい合うように保水部２ａと連結され、多数の透孔を有する部材から成る水切部２ｂと、保水部２ａ、水切部２ｂの開放側に設けられた矩形状の取出口２ｃと、この取出口２ｃの一部に回動自在に取り付けられた取手部２ｄとから構成されている。なお、水切部２ｂの透孔は、図示するような格子状部材に限定されるものではなく、網目状であってもよく、単に多数の透孔をランダムに設けてもよい。
【００１６】
保水部２ａは矩形の主板部２ｅと、この主板部２ｅの各辺から垂直に延在する側板部２ｆ〜２ｉとから構成され、副容器部２の保水部２ａの主板部２ｅを下にした横置き状態で、保水部２ａ内に水を貯水できるようにされている。
【００１７】
格子状部材から成る水切部２ｂは、矩形状の主面部２ｊ、及びこの主面部２ｊの１組の短辺を含む３辺から垂直に延在する側面部２ｋ〜２ｍから構成されている。これらの３つの側面部２ｋ〜２ｍと保水部２ａの３つの側板部２ｆ、２ｇ、２ｈとがそれぞれ連結されている。これらの連結は、連結部材２ｎにより連結されている。
【００１８】
図１に示す副容器部２は、側板部２ｇと側面部２ｌとを連結した面が底面を形成し、側板部２ｆと側面部２ｋとが連結した面、側板部２ｈと側面部２ｍとが連結した面、主板部２ｅ、及び主面部２ｊが周面に形成されている。
【００１９】
そして、取出口２ｃは水切部２ｂの側面部と連結しない側板部２ｉの近傍で、水切部２ｂの開放した個所に哺乳瓶等の消毒対象物を出し入れ可能に設けられている。また、側板部２ｉ及び取出口２ｃの周囲には、主容器部１の開口部１ａの縁部に係止可能な薄板状のフランジ部２ｏが外方に向けて設けられている。
【００２０】
そして、取出口２ｃの内側には、コの字状の取手部２ｄが取り付けられている。この取手部２ｄの両端部が取出口２ｃの内側に軸支されることで、図３に示すように取手部２ｄを起立可能に回動させることができる。
【００２１】
蓋部３は、中央が皿状に若干凹んでいる矩形状の頂面部３ａと、この頂面部３ａの短辺側の端部に取り付けられ、主容器部１の被係止部１ｈとロックのために係合する折り畳み可能な一対の係止片３ｂとから構成されている。なお、蓋部３も透明又は半透明の耐熱性樹脂が好ましい。
【００２２】
図２に示すように蓋部３の係止片３ｂを閉止して、主容器部１の被係止部１ｈに係合してロックすることで、主容器部１は蓋部３による閉止状態となる。
【００２３】
殺菌消毒器具を使用する際には、先ず図２の状態から蓋部３のロックを解除して、蓋部３を主容器部１から取り外す。そして、取手部２ｄを回動して起立状態にして、この取手部２ｄを手で掴んで引き出すことで、容易に主容器部１から副容器部２を引き出すことができる。
【００２４】
殺菌消毒器具を用いて哺乳瓶Ｈを消毒する消毒方法として、電子レンジによる水蒸気を利用する消毒方法と、消毒用の薬液に浸す消毒方法とがある。
【００２５】
電子レンジによる水蒸気を利用する消毒方法は、主容器部１から取り出した副容器部２を、図３に示すように保水部２ａの主板部２ｅを下にし、水切部２ｂの主面部２ｊを上にした横置き状態にする。そして、保水部２ａに水を数１０ミリリットル程度、注入した後に、洗剤等で洗浄した３本の哺乳瓶Ｈを、取出口２ｃを介して副容器部２内に寝かせた状態で収容する。また、図示は省略しているが、哺乳瓶Ｈの口部Ｈ１に取り付ける乳首部等も併せて副容器部２内に収容してもよい。
【００２６】
続いて、横置きの主容器部１内に開口部１ａを介して、消毒すべき哺乳瓶Ｈを入れ、取手部２ｄを折り畳んだ副容器部２を横置きのまま挿入する。挿入後に、被係止部１ｈに係止片３ｂを係合させて主容器部１と蓋部３とをロックして閉止状態にする。
【００２７】
この状態で主容器部１の取手板部１ｇを把持して殺菌消毒器具を電子レンジ内に搬入した後に、数分間の加熱を行う。この加熱により、保水部２ａ内の水は沸騰し、水蒸気となって殺菌消毒器具内に充満する。水蒸気によって哺乳瓶Ｈ等は加熱による殺菌消毒が行われる。なお、透明又は半透明の主容器部１を採用することで、水蒸気の充満度合いや殺菌消毒の状態を外部から確認することができる。
【００２８】
所定時間の蒸気による殺菌消毒を行った後に、電子レンジから殺菌消毒器具を取り出す。そして、蓋部３によるロック状態を解除し、取手部２ｄを引っ張ることにより主容器部１から副容器部２を取り出す。
【００２９】
続いて、図４の斜視図に示すように、取り出した副容器部２を保水部２ａの主板部２ｅ、水切部２ｂの主面部２ｊ及び取出口２ｃが側面になるようにし、更に哺乳瓶Ｈの口部Ｈ１を下方に向けた縦置き状態にして、副容器部２内の水切りを行う。なお、中央が凹んでいる蓋部３を水切用トレーとして使用し、蓋部３上に副容器部２を載置するようにしてもよい。
【００３０】
図５はこの縦置き状態の副容器部２の側面から見た断面図であり、哺乳瓶Ｈの口部Ｈ１を下方に向けて放置することで、哺乳瓶Ｈの内外の水滴は下方に落下して、哺乳瓶Ｈに水滴が残ることなく乾燥させることができる。そして、十分に乾燥後に哺乳瓶Ｈ等を副容器部２から取り出して保管する。なお、取り出し後にそのまま授乳用として使用してもよい。
【００３１】
一方、消毒用の薬液による哺乳瓶Ｈ等の消毒方法は、電子レンジのない環境等で哺乳瓶Ｈを殺菌消毒する場合に用いられる。先ず、図１の取出口２ｃを上方にした状態で取り出した副容器部２内に、洗浄した複数の哺乳瓶Ｈを取出口２ｃを介して配置する。
【００３２】
なお、副容器部２内に配置する哺乳瓶Ｈは、取出口２ｃの長手方向と直交する縦置き、又は取出口２ｃの長手方向と平行する横置きの何れを採用してもよいが、哺乳瓶Ｈ内の空気が抜け易いように口部Ｈ１を上方にした縦置きに配置することが好ましい。
【００３３】
複数の哺乳瓶Ｈ等を収容し、取出口２ｃを上方にした状態の副容器部２を主容器部１に収納する。そして、副容器部２内の哺乳瓶Ｈが完全に浸るまで、例えば次亜塩素酸ナトリウムを主成分とする消毒用の薬液により主容器部１内を満たす。この場合に、哺乳瓶Ｈ等が浮き上がることがあるので、浮き上がり防止のために、図示しない落とし蓋を哺乳瓶Ｈ等の収容後に副容器部２内に配置してもよい。
【００３４】
そして、消毒用の薬液を主容器部１内に満たした後に、被係止部１ｈと係止片３ｂとを係合させて主容器部１に蓋部３をロックして閉止状態とする。この状態で１時間以上、放置することで、哺乳瓶Ｈ等の殺菌消毒が行われる。
【００３５】
消毒後に蓋部３のロック状態を解除し、副容器部２を主容器部１から取り出す。哺乳瓶Ｈ等には消毒用の薬液が付着しているため、一旦、副容器部２から取り出して水洗した後に、図６に示すように取出口２ｃを上にした縦置き状態の副容器部２に、再度、水洗いした哺乳瓶Ｈを横置きにして収容する。
【００３６】
収容後に、副容器部２を図４、図５に示す取出口２ｃを側面とする縦置き状態にして、哺乳瓶Ｈの水切りを行う。なお、消毒用の薬液が次亜塩素酸ナトリウムを主成分とする場合には、水洗いを行わずに哺乳瓶Ｈを乾燥させてもよい。
【００３７】
十分に乾燥後に、哺乳瓶Ｈを副容器部２から取り出して保管する。なお、取り出し後にそのまま授乳用として使用してもよい。
【００３８】
また、副容器部２を用いて哺乳瓶Ｈの水切り、乾燥時に、使用済みの主容器部１及び蓋部３は、洗剤等により洗浄することが可能である。哺乳瓶Ｈを乾燥させた副容器部２を洗浄し乾燥させ、或いはそのまま主容器部１に収納して、蓋部３をロックする。そして、図２に示す殺菌消毒器具の状態にして保管する。
【００３９】
このように、殺菌消毒器具を用いることで、電子レンジによる水蒸気を利用する場合は、水を保水可能な横置きにし、また、消毒用の薬液に浸す場合は、縦置きにすることで、２通りの消毒方法に対応可能としている。
【００４０】
また、通気性の良い副容器部２のみで哺乳瓶Ｈ等を乾燥させることが可能であり、哺乳瓶Ｈの口部Ｈ１が下になるように副容器部２を配置することで、哺乳瓶Ｈ内に水滴が残ることなく水切り、乾燥させることが可能である。更に、副容器部２を乾燥させている間に、主容器部１及び蓋部３を洗浄することが可能である。
【符号の説明】
【００４１】
１  主容器部
２  副容器部
２ａ  保水部
２ｂ  水切部
２ｃ  取出口
２ｄ  取手部
２ｅ  主板部
２ｆ〜２ｉ  側板部
２ｊ  主面部
２ｋ〜２ｍ  側面部
３  蓋部
【図１】
2020156594.tif 000003
【図２】
2020156594.tif 000004
【図３】
2020156594.tif 000005
【図４】
2020156594.tif 000006
【図５】
2020156594.tif 000007
【図６】
2020156594.tif 000008